(57)【要約】【課題】頭部における所定の位置に精度良く脳波を測定するための電極を接触させやすい脳波計を提供する。【解決手段】脳波計１００は、頭部に装着可能な脳波計であって、脳波計１００が頭部に装着された場合に、頭部に沿って左右の耳介に向けて延在するアーチ状の本体フレーム２０と、脳波を検出するための電極対（電極）３４を有する電極部３０であって、本体フレーム２０に設けられる電極部３０と、左右の耳介に装着され、左右の耳穴に挿入される凸部６１を有し、本体フレーム２０の延在する方向の両端部のそれぞれに設けられる装着部６０とを備える。【選択図】図３
2019000405.tif 000002
【特許請求の範囲】
【請求項１】
頭部に装着可能な脳波計であって、
前記脳波計が前記頭部に装着された場合に、前記頭部に沿って左右の耳介に向けて延在する本体フレームと、
脳波を検出するための電極を有する電極部であって、前記本体フレームに設けられる電極部と、
前記左右の耳介に装着され、左右の耳穴に挿入される凸部を有し、前記本体フレームの延在する方向の両端部のそれぞれに設けられる装着部とを備える
脳波計。
【請求項２】
前記電極部が設けられた前記本体フレームを複数備える
請求項１記載の脳波計。
【請求項３】
前記本体フレームと前記装着部とは、前記凸部の突出方向を軸として前記本体フレームが前記装着部に対して回動自在に接続されており、
前記脳波計は、さらに、前記装着部に対する前記本体フレームの位置を測定するための位置測定部を備える
請求項１又は２記載の脳波計。
【請求項４】
前記位置測定部は、目視可能な目盛りが付された部材である
請求項３記載の脳波計。
【請求項５】
前記位置測定部は、前記装着部に対する前記本体フレームの所定の基準位置からの回動量を検出するセンサである
請求項３記載の脳波計。
【請求項６】
さらに、前記回動量に応じて音を発する音出力部を備える
請求項５記載の脳波計。
【請求項７】
前記音は、前記頭部に前記電極を接触させる位置を指示する音声案内を含む
請求項６記載の脳波計。
【発明の詳細な説明】
【技術分野】
【０００１】
本発明は、脳波計に関する。
【背景技術】
【０００２】
脳活動を計測する装置として、脳波計が知られている。脳波計は、頭部に配置された電極で脳活動に伴う電位の変化を計測することにより、脳活動を非侵襲に計測する装置である。
【０００３】
例えば、特許文献１には、脳波を測定するための、頭部に接触される電極を備えるヘッドセット型の脳波計が開示されている。脳波計の使用者は、脳波を測定するための電極が後頭部に接触するように、脳波計を頭部に装着する。
【０００４】
こうすることで、脳波計測において、後頭部より発生する脳波の計測が可能となる。
【先行技術文献】
【特許文献】
【０００５】
【特許文献１】特開２００６−０９４９７９号公報
【発明の概要】
【発明が解決しようとする課題】
【０００６】
脳波計においては、脳波を精度良く測定するためには、脳波を測定するための電極を脳波計の使用者の所定の位置に精度良く接触させる必要がある。また、脳波計の用途によっては、頭部における複数の位置での脳波を測定する必要がある。この場合、例えば脳波計の使用者が自身の頭部に脳波計を装着する際に、脳波を測定するための電極を頭部における所定の位置に精度良く接触させることは困難である。そのために、従来、脳波計を用いて脳波を測定するためには、脳波計の使用者の他に、当該使用者の頭部に装着された脳波計の位置を調整する補助者が必要であった。
【０００７】
本発明は、上記課題を鑑みてなされたものであって、頭部における所定の位置に精度良く脳波を測定するための電極を接触させることができる脳波計を提供する。
【課題を解決するための手段】
【０００８】
本発明の一態様に係る脳波計は、頭部に装着可能な脳波計であって、前記脳波計が前記頭部に装着された場合に、前記頭部に沿って左右の耳介に向けて延在する本体フレームと、脳波を検出するための電極を有する電極部であって、前記本体フレームに設けられる電極部と、前記左右の耳介に装着され、左右の耳穴に挿入される凸部を有し、前記本体フレームの延在する方向の両端部のそれぞれに設けられる装着部とを備える。
【発明の効果】
【０００９】
本発明の脳波計によれば、頭部における所定の位置に精度良く脳波を測定するための電極を接触させることができる。
【図面の簡単な説明】
【００１０】
【図１】図１は、実施の形態１に係る脳波計を含むリハビリテーションシステムの構成を示す構成図である。
【図２】図２は、電極を配置する場所を説明するための頭部の模式図である。
【図３】図３は、実施の形態１に係る脳波計の斜視図である。
【図４】図４は、実施の形態１に係る脳波計の上面図である。
【図５】図５は、図４のＶ−Ｖ線における電極部の断面図である。
【図６】図６は、実施の形態１に係る脳波計が備える位置測定部に付された目盛りを説明するための図である。
【図７Ａ】図７Ａは、使用者に装着された状態における、電極の位置をあわせる第一手順を説明するための実施の形態１に係る脳波計の側面図である。
【図７Ｂ】図７Ｂは、使用者に装着された状態における、電極の位置をあわせる第二手順を説明するための実施の形態１に係る脳波計の側面図である。
【図７Ｃ】図７Ｃは、正しい位置で脳波計が使用者に装着された状態の第一例における実施の形態１に係る脳波計の側面図である。
【図７Ｄ】図７Ｄは、正しい位置で脳波計が使用者に装着された状態の第二例における実施の形態１に係る脳波計の側面図である。
【図７Ｅ】図７Ｅは、正しい位置で脳波計が使用者に装着された状態第三例における実施の形態１に係る脳波計の側面図である。
【図８】図８は、使用者に装着された状態における実施の形態２に係る脳波計の側面図である。
【発明を実施するための形態】
【００１１】
以下、実施の形態に係る脳波計について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略又は簡略化される場合がある。
【００１３】
また、本明細書において、Ｚ軸方向を鉛直方向とし、Ｚ軸の正方向を上方と定義する。また、各図におけるＸ軸及びＹ軸は、Ｚ軸に直交する方向である。また、Ｘ軸は、Ｙ軸と直交する方向である。また、本明細書においては、脳波計を装着する使用者から見て、Ｘ軸方向を左右方向とし、Ｙ軸方向を前後方向とし、Ｚ軸方向を上下方向として記載する場合がある。
【００１４】
なお、本明細書において、「略」とは、製造又は配置の際に生じる誤差を含むことを意味する。
【００１５】
（実施の形態１）
［脳波測定システムの構成］
以下、図１及び図２を参照して、本実施の形態に係る脳波計１００の使用方法の一例について説明する。脳波計１００は、例えば、運動療法によるリハビリテーションの際に、脳波解析に基づいて、随意運動を補助するために用いられる。
【００１６】
図１に示されるように、脳波測定システム１は、脳波計１００及び提示装置８０を備える。
【００１７】
脳波計１００は、使用者１０である患者の頭部に装着可能な脳波計であって、使用者１０の左右の耳介に向けて延在する本体フレームと、使用者１０の脳波を検出するための電極とを備え、ヘッドホン形状を有する。言い換えると、脳波計１００は、ヘッドセット型脳波計である。脳波計１００は、例えば、使用者１０の右半身の随意運動を支配する左運動野の脳波、又は、使用者１０の左半身の随意運動を支配する右運動野の脳波を検出する。また、使用者１０は、脳波計１００を装着した際に、リファレンス電極７０を左右の耳朶に装着する。脳波計１００は、検出した脳波を増幅して脳波信号として生成し、例えば無線により脳波信号を提示装置８０に出力する。
【００１８】
図２は、脳波計１００が使用者１０の頭部に装着された場合に、電極を配置する場所を説明するための頭部の模式図である。具体的には、図２は、国際１０−２０法による定められた電極の配置を説明するための使用者１０の頭部の模式図である。より具体的には、図２の（ａ）は、電極が配置される頭部の側面図であり、図２の（ｂ）は、電極が配置される頭部の正面図であり、図２の（ｃ）は、電極が配置される頭部の上面図である。
【００１９】
図２の（ａ）に示されるように、まず、鼻根から頭頂を経由して後頭結節に至る頭部表面の第一距離Ｄ１と、図２の（ｂ）に示されるように、左の耳介前点から頭頂を経由して右の耳介前点に至る頭部表面の第二距離Ｄ２（耳珠間頭頂弧長）とが計測される。次に、第一距離Ｄ１の中点及び第二距離Ｄ２の中点から正中中心部Ｃｚが決められる。次に、鼻根から後頭結節との間、及び、左右の耳介前点の間のそれぞれの全体を「１００％」として、図２の（ａ）〜図２の（ｃ）に示されるように、所定の割合に分割した位置が電極の配置位置として決められる。例えば、左運動野と対応できる電極の位置の一例としては、国際１０−２０法では、図２の（ｃ）に示される中心部Ｃ４の位置を挙げることができる。つまり、例えば、左運動野の脳波を計測したい場合には、電極を図２の（ｃ）に示される中心部Ｃ４の位置にあてて脳波は計測される。また、例えば、右運動野と対応できる電極の位置の一例としては、国際１０−２０法では、図２の（ｃ）に示される中心部Ｃ３の位置を挙げることができる。つまり、例えば、右運動野の脳波を計測したい場合には、電極を図２の（ｃ）に示される中心部Ｃ３の位置にあてて脳波は計測される。このように、脳波計が備える脳波を測定するための電極は、使用者１０の頭部の所定の位置に精度良く配置させる必要がある。
【００２０】
提示装置８０は、使用者１０に脳波計１００で計測された脳波信号を使用者１０に提示する装置である。提示装置８０は、スピーカ８１、画像表示部８２、操作部８３及び制御装置８４を備える。
【００２１】
スピーカ８１は、制御装置８４から入力される音響信号に基づいて、使用者１０に音又は音声を提示する音発生器である。スピーカ８１は、スピーカ、アンプ等によって実現される。
【００２２】
画像表示部８２は、制御装置８４から与えられる制御信号に基づいて、使用者１０に視覚情報を提示する。画像表示部８２は、例えば、ディスプレイである。使用者１０に提示される情報には、例えば、使用者１０が脳波計１００を装着する際に、脳波を測定するための電極を有する電極部３０をどの位置に配置すればよいかを示す画像が含まれてもよい。また、脳波測定システム１が例えばリハビリテーションに用いられる場合には、使用者１０に提示される情報として、使用者１０がどのようなイメージをすれば良いかの指示に関する指示情報、使用者１０が指示通りにイメージできているかのフィードバック情報等が含まれてもよい。
【００２３】
操作部８３は、例えば、マウス、タッチパネル等として構成される。使用者１０は、操作部８３を介して使用者１０に関する各種情報を制御装置８４に登録する。操作部８３がタッチパネルとして構成される場合には、画像表示部８２に一体化することもできる。
【００２４】
制御装置８４は、脳波計１００から取得した脳波信号に応じて、スピーカ８１、画像表示部８２を制御するコンピュータである。制御装置８４は、ＣＰＵ（Ｃｅｎｔｒａｌ  Ｐｒｏｃｅｓｓｉｎｇ  Ｕｎｉｔ）、とＣＰＵが実行する制御プログラムが格納されたＨＤＤ（Ｈａｒｄ  Ｄｉｓｋ  Ｄｒｉｖｅ）等のメモリによって実現される。
【００２５】
［脳波計の構成］
次に、図３〜図６を参照して、実施の形態１に係る脳波計１００の構成の詳細について説明する。
【００２６】
図３は、実施の形態１に係る脳波計１００の斜視図である。図４は、実施の形態１に係る脳波計１００の上面図である。図５は、図４のＶ−Ｖ線における電極部３０の断面図である。図６は、実施の形態１に係る脳波計１００が備える位置測定部６２に付された目盛り６４を説明するための図である。なお、図６においては、説明のために、脳波計１００が備える構成要素の一部のみを図示している。
【００２７】
図３〜図５に示されるように、脳波計１００は、本体フレーム２０と、電極部３０と、計測部４０と、装着部６０と、リファレンス電極７０とを備える。なお、図４においてはリファレンス電極７０の記載を省略している。
【００２８】
また、図５において、Ｚ１軸方向を本体フレーム２０の法線方向（厚み方向）として定義する。また、Ｘ１軸及びＹ１軸は、Ｚ１軸に直交する方向である。また、Ｘ１軸は、Ｙ１軸と直交する方向である。
【００２９】
本体フレーム２０は、使用者１０の頭部に装着された場合に、頭頂から左右の耳介のそれぞれに向けて延びる正面視において半円形状となる帯状のフレームである。つまり、本体フレーム２０は、脳波計１００が使用者１０の頭部に装着された場合に、頭部に沿って左右の耳介に向けて延在する帯状のフレームである。脳波計１００は、本体フレームの２０長尺方向の両端側に電極部３０を備えてもよいが、本実施の形態においては、軽量化、簡易装着等の観点から、片側の運動野のみの脳波を計測できるように、本体フレーム２０長尺方向の片側のみに脳波を計測するための電極部３０を備えている。本体フレーム２０の材料は、特に限定されないが、例えば、樹脂材料が採用される。
【００３０】
本体フレーム２０の長手方向の一方側には、電極部３０が本体フレーム２０の長手方向に移動可能に取り付けられ、他方側には、計測部４０が本体フレーム２０の長手方向に移動可能に取り付けられている。また、計測部４０は、本体フレーム２０の長手方向における上述した一方の端部と反対側の他方の端部側に設けられる。
【００３１】
電極部３０は、脳波を検出するための１又は複数の電極を有し、使用者１０の脳波を検出する電極を有する装置である。本実施の形態では、当該電極として、第一電極３４ａ及び第二電極３４ｂを有する電極対（電極）３４を備えている。電極部３０は、使用者１０が脳波計１００を頭部に装着したときに、使用者１０の運動意図に関連する脳波を計測しやすい位置に配置されている。電極部３０は、例えば、使用者１０の右半身の随意運動を支配する左運動野、又は、使用者１０の左半身の随意運動を支配する右運動野と対応できる位置に配置される。また、電極部３０は、本体フレーム２０の長手方向に移動可能に本体フレーム２０に支持される。電極部３０は、取付部３１と、調整つまみ３２と、電極ケース３３と、電極対３４と、アンプ３５とを備える。
【００３２】
取付部３１は、本体フレーム２０を本体フレーム２０の厚み方向（図５に示すＺ１軸方向）から挟むように形成される。また、取付部３１は、前後方向（例えば、図４に示すＹ軸方向）において本体フレーム２０を覆うように本体フレーム２０に取り付けられている。また、取付部３１は、本体フレーム２０に対して移動可能に取り付けられる。つまり、電極部３０は、取付部３１によって本体フレーム２０に対して移動可能に取り付けられている。
【００３３】
調整つまみ３２は、本体フレーム２０に対して取付部３１が移動可能な状態と、本体フレーム２０に対して取付部３１が移動不能な状態とに切り替えるためのつまみである。調整つまみ３２は、例えば、ねじである。図５に示されるように、調整つまみ３２は、例えば使用者１０に調整されることで、本体フレーム２０の上部に接触する。これにより、調整つまみ３２は、本体フレーム２０に対して電極部３０を係止する。
【００３４】
電極ケース３３は、取付部３１の上部側に配置され、アンプ３５を収容するケースである。
【００３５】
取付部３１、調整つまみ３２及び電極ケース３３の材料は、特に限定されるものではないが、例えば樹脂材料が採用される。
【００３６】
電極対（電極）３４は、脳波を計測するための２つの電極（第一電極３４ａ及び第二電極３４ｂ）を有し、本体フレーム２０の下部側（図５に示すＺ１負方向側）に配置される。第一電極３４ａ及び第二電極３４ｂの材料は、金属であればよく、特に限定されないが、例えば銀塩化銀電極である。
【００３７】
電極対３４は、脳波計１００が頭部に装着された場合に、取付部３１の頭部側に配置される。また、電極対３４を構成する第一電極３４ａ及び第二電極３４ｂは、本体フレーム２０の長手方向に並べて配置されている。例えば、第一電極３４ａで中心部Ｃ３の脳波を検出するとする。その場合には、第二電極３４ｂで、中心部Ｃ３の周囲の脳波を検出する。つまり、脳波計１００は、一箇所の脳波（例えば中心部Ｃ３）の脳波を計測するため第一電極３４ａ及び第二電極３４ｂで構成された電極対３４を用いる。具体的には、電極部３０は、中心部Ｃ３の脳波と、中心部Ｃ３の周囲の脳波とを検出する。例えば、計測部４０は、中心部Ｃ３の周囲に配置された第二電極３４ｂで検出された脳波を用いて、中心部Ｃ３に配置された第一電極３４ａで検出された脳波のノイズを除去する。こうすることで、脳波計１００は、精度良く使用者１０の脳波を検出することができる。
【００３８】
なお、脳波計１００が備える脳波を検出するための電極（例えば、第一電極３４ａ）は、１又は複数でよく、電極の数は特に限定されない。例えば、脳波計１００は、第一電極３４ａを１つ有し、第二電極３４ｂを有さなくてもよい。
【００３９】
アンプ３５は、電極対３４で検出された脳波に応じた信号を増幅するための増幅器である。具体的には、アンプ３５は、電極対３４で検出された脳波に応じた電位を増幅する。アンプ３５は、脳波計１００が頭部に装着された場合に、頭部側とは反対側の取付部３１に配置される。また、電極対３４とアンプ３５とは、金属リード線（不図示）等によって電気的に接続される。
【００４０】
計測部４０は、電極部３０で検出された使用者１０の脳波を計測するための信号処理をする処理部である。具体的には、計測部４０は、電極部３０の電位とリファレンス電極７０の基準電位との電位差を脳波信号として生成し、提示装置８０（図１参照）に脳波信号を出力する装置である。また、計測部４０は、本体フレーム２０の長手方向における、電極部３０が取り付けられる一方の端部と反対側の他方の端部側に設けられる。また、計測部４０は、本体フレーム２０の長手方向に移動可能に本体フレーム２０に支持される。計測部４０は、計測部取付部４１と、調整つまみ４２と、電源ケース４３と、回路部４４と、電源部４５とを備える。
【００４１】
計測部取付部４１は、前後方向（Ｙ軸方向）において本体フレーム２０を跨ぐように本体フレーム２０に取り付けられている。また、計測部取付部４１は、本体フレーム２０に対して移動可能に取り付けられる。つまり、計測部４０は、計測部取付部４１によって本体フレーム２０に対して移動可能に取り付けられている。
【００４２】
調整つまみ４２は、本体フレーム２０に対して計測部取付部４１が移動可能な状態と、本体フレーム２０に対して計測部取付部４１が移動不能な状態とを切り替えるためのつまみである。調整つまみ４２は、例えばねじである。
【００４３】
電源ケース４３は、計測部取付部４１の上部側に配置され、回路部４４及び電源部４５を収容するケースである。
【００４４】
計測部取付部４１、調整つまみ４２及び電源ケース４３の材料は、特に限定されるものではないが、例えば樹脂材料が採用される。
【００４５】
回路部４４は、電極部３０から取得した脳波から脳波信号を生成し、提示装置８０（図１参照）に出力する回路である。また、回路部４４は、電極部３０の電極対３４が計測した電位とリファレンス電極７０の基準電位との電位差を増幅する差動増幅回路を有する。また、回路部４４は、提示装置８０に脳波信号を無線で送信する通信回路を有する。
【００４６】
電源部４５は、回路部４４に電力を供給する電源である。電源部４５は、例えば、電池である。
【００４７】
また、脳波計１００は、装着部６０と、凸部６１と、位置測定部６２と、音出力部６３とを備える。
【００４８】
装着部６０は、脳波計１００が使用者１０に装着される際に、使用者１０の耳介に接触し、頭部に対して本体フレーム２０の位置ずれを抑制する部分である。装着部６０は、使用者１０の左右の耳介に装着され、左右の耳穴に挿入される凸部６１を有し、本体フレーム２０の延在する方向の両端部のそれぞれに設けられる。
【００４９】
また、本体フレーム２０と装着部６０とは、凸部６１の突出方向を軸として本体フレーム２０が装着部６０に対して回動自在に接続されている。装着部６０は、例えば、クッション部材で構成される。本体フレーム２０及び／又は装着部６０は、装着部６０に対して本体フレーム２０を所定の位置で係止される構造を有していてもよいし、ねじ等によって使用者１０が本体フレーム２０を所定の位置で係止させられる構造を有していてもよい。
【００５０】
凸部６１は、脳波計１００が使用者１０の頭部に装着された際に、使用者１０の耳穴に挿入される突起である。具体的には、凸部６１は、本体フレーム２０の両端側に配置されている装着部６０のそれぞれに取り付けられている。また、凸部６１は、使用者１０が脳波計１００を装着した場合に使用者１０の耳穴に挿入されるように、装着部６０から突出している。
【００５１】
位置測定部６２は、本体フレーム２０の位置を測定するための測定部である。具体的には、位置測定部６２は、装着部６０に対する本体フレーム２０の位置（姿勢）を測定するための機構である。より具体的には、位置測定部６２は、本体フレーム２０が図２に示す第一距離Ｄ１のどの位置にあるかを測定するための機構である。例えば、位置測定部６２は、本体フレーム２０と、本体フレーム２０の回動によって回動しない装着部６０との位置関係を測定できるように構成されている。
【００５２】
位置測定部６２は、例えば、目視可能な目盛り６４が付された部材で構成されている。例えば、使用者１０は、図６に示される目盛り６４と、本体フレーム２０の位置を示す指示線６５とから、装着部６０に対する本体フレーム２０の位置関係を確認しながら、本体フレーム２０の位置を調整する。こうすることで、使用者１０は、本体フレーム２０の位置を調整して、精度良く電極対３４を所定の位置に配置することができる。
【００５３】
また、例えば、位置測定部６２は、装着部６０に対する本体フレーム２０の所定の基準位置からの回動量を検出するセンサでもよい。センサとしては、例えば、本体フレーム２０の基準位置からの回転角度を検出する角度センサ、本体フレームの２０の位置を検出する位置センサ等が例示される。なお、センサは、本体フレーム２０の位置を測定できればよく、センサの数、種類等は、特に限定されない。位置測定部６２で検出された本体フレーム２０の位置情報は、例えば、図１に示す画像表示部８２、スピーカ８１等を介して、使用者１０に通知される。こうすることで、使用者１０は、本体フレーム２０の位置を調整して、精度良く電極対３４を所定の位置に配置することができる。また、この場合には、位置測定部６２は、本体フレーム２０の位置を検知した場合に、音出力部６３に本体フレーム２０の位置情報を送信してもよい。音出力部６３は、位置測定部６２から取得した位置情報を音として使用者１０に通知してもよい。
【００５４】
なお、位置測定部６２は、さらに、センサが検出した位置情報が、脳波を測定するために正しい位置に配置されているか否かを判定するための制御プログラムを実行するＣＰＵと、当該制御プログラムを記憶するフラッシュメモリ等のメモリとを備えてもよい。また、位置測定部６２は、さらに、センサが検出した位置情報を制御装置８４へ送信するための有線及び／又は無線通信インターフェースを備えてもよい。つまり、制御装置８４は、位置測定部６２と通信するための有線及び／又は無線通信インターフェースを備え、位置測定部６２と制御装置８４とは、通信可能に接続されていてもよい。
【００５５】
また、上述した所定の基準位置は、特に限定されるものではない。例えば、所定の基準位置は、本体フレーム２０が使用者１０の頭頂に位置する場合における装着部６０に対する本体フレーム２０の位置でもよい。また、例えば、所定の基準位置は、本体フレーム２０が使用者１０の鼻根に位置する場合における装着部６０に対する本体フレーム２０の位置でもよい。所定の基準位置は、予め定められていてもよいし、例えば使用者１０が制御装置８４を操作することにより設定できてもよい。
【００５６】
また、位置測定部６２は、目視可能な目盛り６４と、装着部６０に対する本体フレーム２０の所定の基準位置からの回動量を検出するセンサとを両方備えてもよい。以下の説明においては、位置測定部６２は、目盛り６４が付されており、且つセンサを備えているものとして説明する。
【００５７】
音出力部６３は、本体フレーム２０の所定の基準位置からの回動量に応じて音を発する。具体的には、位置測定部６２が測定した装着部６０に対する本体フレーム２０の位置を示す位置情報を取得した場合に、位置情報を音として使用者１０に通知するための音、音声等を発する機器である。例えば、音出力部６３が発する音声は、使用者１０の頭部に電極対３４を接触させる位置を指示する音声案内でもよい。なお、脳波計１００は、音声案内を開始させるための使用者１０が操作するボタン（不図示）を備えてもよい。
【００５８】
音出力部６３は、例えば、スピーカ、アンプ等によって実現される。音出力部６３が脳波計１００に取り付けられる位置は、特に限定されないが、本実施の形態では、装着部６０の内部に配置されている。
【００５９】
リファレンス電極７０は、基準電位を検出する電極である。リファレンス電極７０は、例えば、本体フレーム２０の長手方向の両方側の端部に設けられる。基準電位は、例えば、図１にされるように、リファレンス電極７０を使用者１０に接触されることで検出される。なお、リファレンス電極７０は、本体フレーム２０の長手方向の一方側の端部に取り付けられてもよい。リファレンス電極７０が本体フレーム２０の長手方向の両端部に取り付けられた場合、各リファレンス電極７０の電位の平均を基準電位としてもよい。
【００６０】
また、計測部４０、電極部３０、音出力部６３及びリファレンス電極７０は、図示されていない金属リード線により電気的に接続されている。リード線は、本体フレーム２０内に収容されている。
【００６１】
［位置調整］
続いて、図７Ａ〜図７Ｅを参照して、脳波計１００における本体フレーム２０の位置調整について説明する。
【００６２】
図７Ａは、使用者１０に装着された状態における、電極対３４の位置をあわせる第一手順を説明するための実施の形態１に係る脳波計１００の側面図である。図７Ｂは、使用者１０に装着された状態における、電極対３４の位置をあわせる第二手順を説明するための実施の形態１に係る脳波計１００の側面図である。図７Ｃは、正しい位置で脳波計１００が使用者１０に装着された状態の第一例における実施の形態１に係る脳波計１００の側面図である。図７Ｄは、正しい位置で脳波計１００が使用者１０に装着された状態の第二例における実施の形態１に係る脳波計１００の側面図である。図７Ｅは、正しい位置で脳波計１００が使用者１０に装着された状態第三例における実施の形態１に係る脳波計の側面図である。なお、図７Ｃ〜図７Ｅでは、音出力部６３から音が発せられている状態を模式的に図示している。
【００６３】
例えば、使用者１０は、まず、図７Ａに示されるように、脳波計１００を使用して脳波を測定するための第一手順として、本体フレーム２０の位置を鼻根にあわせる。ここで、使用者１０は、例えば操作部８３を操作して、鼻根の位置を基準位置（第一基準位置）として設定する。この際に、例えば、制御装置８４は、第一位置情報を要求する旨を示す信号を、位置測定部６２へ送信する。位置測定部６２は、受信した信号に応じて第一基準位置の位置情報を制御装置８４へ送信する。制御装置８４は、受信した第一基準位置の位置情報をメモリに記憶する。或いは、使用者１０は、脳波計１００を一度頭部から外して、目盛り６４から本体フレーム２０の位置を確認する。
【００６４】
次に、使用者１０は、第二手順として、図７Ｂに示されるように、本体フレーム２０の位置を後頭結節にあわせる。ここで、使用者１０は、さらに操作部８３を操作して、後頭結節の位置を基準位置（第二基準位置）として設定する。例えば、制御装置８４は、第一基準位置を示す位置情報を記憶する手順と同様の手順で、第二基準位置の位置情報をメモリに記憶する。このように、使用者１０は、電極対３４を配置するために基準となる位置である鼻根と後頭結節との位置情報を制御装置８４に記憶させる。或いは、使用者１０は、脳波計１００を一度頭部から外して、目盛り６４から本体フレーム２０の位置を再度確認する。
【００６５】
次に、使用者１０は、第三手順として、電極対３４を、頭部の脳波を測定したい位置にあわせるために本体フレーム２０を動かす。
【００６６】
例えば、図７Ｃに示される本体フレーム２０の位置を位置測定部６２が検出したとする。この際に、例えば、位置測定部６２は、検出した本体フレーム２０の位置情報を制御装置８４へ送信する。制御装置８４は、メモリに記憶している第一基準位置及び第二基準位置と、受信した位置情報とから、本体フレーム２０の位置が正しい位置に被値されているか否かを判定する。制御装置８４は、使用者１０が本体フレーム２０の位置を正しくあわせられていると判定した場合、例えば、その旨を示す信号を位置測定部６２へ送信する。位置測定部６２は、当該信号を受信した場合、音出力部６３へ本体フレーム２０の位置が正しい旨を使用者１０へ通知するための音声情報を出力する。音出力部６３は、当該音声情報を取得した場合に、当該音声情報に応じた音声を発する。例えば、音声情報は、例えば、「ピー」等の音でもよいし、「正しく配置されました」等の音声でもよい。つまり、位置測定部６２は、制御装置８４から受信した信号に応じた音を、音出力部６３に発せさせる。
【００６７】
一方、位置測定部６２は、使用者１０が本体フレーム２０の位置を正しくあわせられていない旨を示す信号を制御装置８４から受信した場合、例えば、音出力部６３へ本体フレーム２０の位置が正しくない旨を使用者１０へ通知するための音声情報を出力する。音出力部６３は、当該音声情報を取得した場合に、当該音声情報に応じた音声を発する。例えば、音声情報は、例えば、「ビー」等の本体フレーム２０が正しい位置に発せられる音と異なる音でもよいし、「正しく配置されていません」等の音声でもよい。
【００６８】
また、例えば、位置測定部６２で検出された本体フレーム２０の位置情報は、画像表示部８２等へ出力されてもよい。この場合、位置情報は、位置測定部６２が検出して、計測部４０を介して制御装置８４へ送信されることで、画像表示部８２の画面に画像が表示されてもよい。画像表示部８２には、使用者１０が本体フレーム２０の位置を正しくあわせられている場合、例えば、「正しく配置されました」等の文字が表示されてもよい。また、使用者１０が本体フレーム２０の位置を正しくあわせられていない場合、例えば、「正しく配置されていません」等の文字が表示されてもよい。
【００６９】
なお、使用者１０は、操作部８３を操作して第一基準位置と第二基準位置とを設定したが、当該位置を設定する方法は、これに限らない。例えば、脳波計１００が、第一基準位置と第二基準位置とを設定するために操作するボタン等から構成される操作部を備えてもよい。また、第一基準位置及び第二基準位置を示す位置情報と、現在の本体フレーム２０の位置情報とから、現在の本体フレーム２０が脳波を測定するために正しい位置に配置されているか否かの判定は、位置測定部６２が実行してもよい。位置測定部６２は、当該判定結果に基づいた音を、音出力部６３に発せさせてもよい。
【００７０】
また、使用者１０は、目視で目盛り６４の第一基準位置と第二基準位置とを確認している場合は、確認した第一基準位置と第二基準位置とから脳波を測定するための所望の本体フレーム２０の位置を使用者１０自身が算出する。使用者１０は、算出した結果に基づいて本体フレーム２０を、脳波を測定するための正しい位置に移動させる。
【００７１】
また、本体フレーム２０が脳波を測定するための正しい位置は、図７Ｃに示される本体フレーム２０の位置だけではなく、図７Ｄ及び図７Ｅに示される本体フレーム２０の位置でもよい。このように、使用者１０が頭部における脳波を測定したい位置が選択できるように、位置測定部６２及び／又は制御装置８４が実行する制御プログラムは実現されてもよい。こうすることで、使用者１０は、頭部における前頭部、頭頂、後頭部等の位置によらず、本体フレーム２０（具体的には、本体フレーム２０に配置されている電極対３４）を所望の位置に精度良く配置させることができる。
【００７２】
［効果等］
以上、実施の形態１に係る脳波計１００は、使用者１０の頭部に装着可能な脳波計である。脳波計１００は、本体フレーム２０と、電極部３０と、装着部６０とを備える。本体フレーム２０は、脳波計１００が頭部に装着された場合に、当該頭部に沿って左右の耳介に向けて延在する。電極部３０は、脳波を検出するための電極対（電極）３４を有する電極部であって、本体フレーム２０に設けられる。装着部６０は、左右の耳介に装着され、左右の耳穴に挿入される凸部６１を有し、本体フレーム２０の延在する方向の両端部のそれぞれに設けられる。
【００７３】
このような構成によれば、凸部６１が使用者１０の耳穴に挿入されるために、凸部６１は、頭部に対する本体フレーム２０の基準の位置として機能することができる。そのため、脳波計１００によれば、電極対３４を所望の位置に配置させやすい。また、このような構成によれば、頭部に対する本体フレーム２０の基準の位置が明確になるために、例えば、使用者１０が作業療法士のような脳波の測定に関する有識者ではなくても、適切な位置に本体フレーム２０を位置させて、所望の位置に電極対３４を配置させやすくなる。
【００７４】
また、本体フレーム２０と装着部６０とは、凸部６１の突出方向を軸として本体フレーム２０が装着部６０に対して回動自在に接続されていてもよい。また、脳波計１００は、さらに、装着部６０に対する本体フレーム２０の位置を測定するための位置測定部６２を備えてもよい。
【００７５】
このような構成によれば、装着部６０を動かさずに、例えば凸部６１を軸として、本体フレーム２０を回動させることができる。そのため、脳波計１００によれば、電極対３４を所望の位置により配置させやすい。また、脳波計１００は、装着部６０に対する本体フレーム２０の位置を測定するための位置測定部６２を備える。これにより、使用者１０は、位置測定部６２から装着部６０に対する本体フレーム２０の位置情報を取得して、簡便に本体フレーム２０を所望の位置に配置させることができる。つまり、使用者１０は、簡便に電極対３４を所望の位置に配置させることができる。
【００７６】
例えば、位置測定部６２は、目視可能な目盛り６４が付された部材でもよい。
【００７７】
このような構成によれば、使用者１０は、目盛り６４を確認することで、簡便に、且つ、精度良く電極対３４の位置を調整することができる。
【００７８】
また、例えば、位置測定部６２は、装着部６０に対する本体フレーム２０の所定の基準位置からの回動量を検出するセンサでもよい。
【００７９】
このような構成によれば、センサによって本体フレーム２０の位置をより精度良く測定することができる。
【００８０】
また、脳波計１００は、さらに、装着部６０に対する本体フレーム２０の回動量に応じて音を発する音出力部を備えてもよい。
【００８１】
このような構成によれば、脳波計１００は、使用者１０に本体フレーム２０の位置を音により通知することができる。そのため、使用者１０は、本体フレーム２０の位置が正しい位置か否かを音により判断することができる。これにより、使用者１０は、簡便に本体フレーム２０の位置を正しい位置に調整することができる。
【００８２】
また、音は、頭部に電極対（電極）３４を接触させる位置を指示する音声案内を含んでもよい。
【００８３】
このような構成によれば、使用者１０は、音声案内に従って、本体フレーム２０の位置を調整することができる。そのため、使用者１０は、簡便に、本体フレーム２０の位置を正しい位置に調整することができる。
【００８４】
（実施の形態２）
実施の形態１では、脳波計１００は、本体フレームを１つ備える。しかしながら、本発明に係る脳波計が備える本体フレームの数は、これに限定されない。本発明に係る脳波計が備える本体フレームの数は、複数でもよい。実施の形態２では、本体フレームを２つ備える脳波計について説明する。なお、実施の形態１と実質的に同様の構成については、実施の形態１と同様の符号を付し、説明を簡略化する場合がある。
【００８５】
以下、図８を参照して、実施の形態２に係る脳波計について説明する。
【００８６】
［構成］
図８は、使用者に装着された状態における実施の形態２に係る脳波計の側面図である。具体的には、図８の（ａ）は、初めに使用者１０が装着する状態における実施の形態２に係る脳波計の側面図である。図８の（ｂ）は、本体フレームの位置が正しい状態における実施の形態２に係る脳波計の側面図である。なお、図８では、音出力部６３から音が発せられている状態を模式的に図示している。
【００８７】
図８に示すように、実施の形態２に係る脳波計１００ａは、本体フレーム２０ａと、本体フレーム２０ｂとを備える。
【００８８】
本体フレーム２０ａには、実施の形態１の本体フレーム２０と同様に、電極部３０と実質的に同様の構成である電極部３０ａと、計測部４０（不図示）とが配置されている。
【００８９】
本体フレーム２０ｂには、実施の形態１の本体フレーム２０と同様に、電極部３０と実質的に同様の構成である電極部３０ｂと計測部４０（不図示）が配置されている。
【００９０】
本体フレーム２０ａ、２０ｂは、実施の形態１の本体フレーム２０と同様に、装着部６０に取り付けられている凸部６１（不図示）を軸中心として回動可能に、装着部６０に取り付けられている。
【００９１】
また、脳波計１００ａは、位置測定部６２ａと、音出力部６３とを備える。
【００９２】
位置測定部６２ａは、装着部６０に対する本体フレーム２０ａ、２０ｂの位置を測定する。具体的には、位置測定部６２ａは、本体フレーム２０ａ、２０ｂが図２に示す第一距離Ｄ１のどの位置にあるかを測定するための測定部である。例えば、位置測定部６２ａは、本体フレーム２０ａ、２０ｂと、本体フレーム２０ａ、２０ｂの回動によって回動しない装着部６０との位置関係を測定できるように構成されている。
【００９３】
位置測定部６２ａは、実施の形態１の位置測定部６２と同様に、例えば、目視可能な目盛り６４が付された部材で構成されている。例えば、使用者１０は、目盛り６４を確認しながら、本体フレーム２０ａ、２０ｂの位置を調整する。
【００９４】
また、例えば、位置測定部６２ａは、実施の形態１の位置測定部６２と同様に、装着部６０に対する本体フレーム２０ａ、２０ｂの所定の基準位置からの回動量を検出するセンサでもよい。センサで検出された本体フレーム２０ａ、２０ｂの位置情報は、例えば、図１に示す画像表示部８２、スピーカ８１等を介して、使用者１０に通知される。また、この場合には、位置測定部６２ａは、本体フレーム２０ａ、２０ｂの位置を検知した場合に、音出力部６３に本体フレーム２０ａ、２０ｂの位置情報を送信してもよい。音出力部６３は、位置測定部６２ａから取得した位置情報を音として使用者１０に通知してもよい。
【００９５】
なお、位置測定部６２ａは、目視可能な目盛り６４が付された部材と、装着部６０に対する本体フレーム２０ａ、２０ｂの所定の基準位置からの回動量を検出するセンサとを両方備えてもよい。以下の説明においては、位置測定部６２ａは、目盛り６４が付された部材とセンサとを両方備えているものとして説明する。
【００９６】
リファレンス電極７０ａは、基準電位を検出する電極である。リファレンス電極７０ａは、例えば、本体フレーム２０ａ又は本体フレーム２０ｂの長手方向の両方側の端部に設けられる。基準電位は、例えば、図８に示されるように、リファレンス電極７０ａを使用者１０に接触されることで検出される。なお、リファレンス電極７０ａは、本体フレーム２０ａ又は本体フレーム２０ｂの長手方向の一方側の端部に取り付けられてもよい。リファレンス電極７０ａが本体フレーム２０ａ又は本体フレーム２０ｂの長手方向の両端部に取り付けられた場合、各リファレンス電極７０ａの電位の平均を基準電位としてもよい。
【００９７】
また、図８には、リファレンス電極７０ａは、電極部３０ａ、３０ｂの双方に共通の基準電位となる１つの電極として記載しているが、これに限定されない。本体フレーム２０ａ、２０ｂのそれぞれにリファレンス電極が備えられていてもよい。
【００９８】
［位置調整］
続いて、脳波計１００ａにおける本体フレーム２０ａ、２０ｂの位置調整について説明する。
【００９９】
図８の（ａ）に示されるように、例えば、使用者１０は、本体フレーム２０ａの位置を鼻根にあわせ、本体フレーム２０ｂの位置を後頭結節にあわせる。位置測定部６２ａが目視可能な目盛りを備えている場合、本体フレーム２０ａ、２０ｂのこれらの位置を使用者１０は位置測定部６２ａに記されている目盛り６４を確認することで、簡便に図８の（ｂ）に示される正しい位置に本体フレーム２０ａ、２０ｂを移動させることができる。
【０１００】
また、例えば、位置測定部６２ａが本体フレーム２０ａ、２０ｂの位置を確認するためのセンサを備えている場合、使用者１０は、まず、図８の（ａ）に示されるように、例えば、使用者１０は、本体フレーム２０ａの位置を鼻根にあわせ、本体フレーム２０ｂの位置を後頭結節にあわせる。この際に、音出力部６３は、本体フレーム２０ａ、２０ｂの位置が正しくない旨を示す音（例えば、「ビー」という音）を発する。位置測定部６２ａは、例えば、センサが検出した位置情報が、脳波を測定するために正しい位置に配置されているか否かを判定するための制御プログラムを実行するＣＰＵと、当該制御プログラムを記憶するフラッシュメモリ等のメモリとを備える。使用者１０は、本体フレーム２０ａ、２０ｂを徐々に頭頂側へ動かす。位置測定部６２ａは、本体フレーム２０ａ、２０ｂが正しい位置に配置された場合に、本体フレーム２０ａ、２０ｂの位置が正しい旨を示す音（例えば、「ピー」という音）を音出力部６３に発せさせる。こうすることで、使用者１０は、脳波計１００ａを装着した状態で、簡便に、本体フレーム２０ａ、２０ｂの位置を正しい位置に移動させることができる。また、音出力部６３が発する音は、使用者１０の頭部に電極対３４を接触させる位置を指示する音声案内でもよい。こうすることで、使用者１０は、簡便に、本体フレーム２０ａ、２０ｂの位置だけでなく、電極部３０（具体的には電極対３４）の位置を正しい位置に使用者１０は合わせることができる。
【０１０１】
なお、本体フレーム２０ａ、２０ｂは一方を動かした際に連動して動くように構成されていてもよいし、それぞれ個別に動かせるように構成されていてもよい。
【０１０２】
また、位置測定部６２ａが本体フレーム２０ａ、２０ｂの位置を測定するためのセンサを備える場合、本体フレーム２０ａ、２０ｂそれぞれの位置を測定できればよく、センサの数、種類等は、特に限定されない。
【０１０３】
また、実施の形態２に係る脳波計１００ａは、２つの本体フレーム２０ａ、２０ｂを備える。本発明に係る脳波計は、３以上の本体フレームと、それぞれの本体フレームに配置される電極部及び計測部とから構成されてもよい。
【０１０４】
また、実施の形態２に係る脳波計１００ａにおいても、実施の形態１に係る脳波計１００と同様に、本体フレーム２０ａ、２０ｂをそれぞれ鼻根と後頭結節とに位置をあわせて、当該位置を基準位置として設定できるように構成されていてもよい。また、位置測定部６２ａは、さらに、センサが検出した位置情報を制御装置８４へ送信するための有線及び／又は無線通信インターフェースを備えてもよい。つまり、制御装置８４は、位置測定部６２ａと通信するための有線及び／又は無線通信インターフェースを備え、位置測定部６２ａと制御装置８４とは、通信可能に接続されていてもよい。
【０１０５】
また、例えば、実施の形態２に係る脳波計１００ａは、実施の形態１に係る脳波計１００と同様に、鼻根と後頭結節とに配置された本体フレーム２０ａ、２０ｂの位置を基準位置として設定するために操作するボタン等から構成される操作部を備えてもよい。また、当該基準位置情報と、現在の本体フレーム２０の位置情報とから、現在の本体フレーム２０が脳波を測定するために正しい位置に配置されているか否かの判定は、位置測定部６２ａが実行してもよい。
【０１０６】
［効果等］
以上、実施の形態２に係る脳波計１００ａは、電極部が設けられた本体フレームを複数備える。一例としては、脳波計１００ａは、電極部３０ａを備える本体フレーム２０ａと、電極部３０ｂを備える本体フレーム２０ｂとを備える。
【０１０７】
このような構成によれば、実施の形態１に係る脳波計１００と同様の効果を奏する。また、脳波計１００ａは、本体フレーム２０ａ、２０ｂに配置される電極部３０ａ、３０ｂによって、右半身又は左半身の複数個所の脳波を同時に測定することができる。そのため、脳波計１００ａによれば、従来の脳波計よりも短時間で、右半身又は左半身の複数個所の脳波を測定することができる。
【０１０８】
（その他の実施の形態）
以上、実施の形態に係る脳波計について説明したが、本発明は、上記実施の形態に限定されるものではない。
【０１０９】
例えば、上記実施の形態では、制御装置及び位置測定部は、プロセッサがプログラムを実行することによってソフトウェア的に実現されたが、このような実現方法に限定されない。制御装置は、ゲートアレイ等を用いた専用の電子回路によってハードウェア的に実現されてもよい。
【０１１０】
また、例えば上記実施の形態では、脳波計は、軽量化、簡易装着等の観点から、片側の運動野のみの脳波を計測できるように、片側のみに脳波を計測するための電極を備える。しかしながら、脳波計が備える電極部の数は、これに限定されない。脳波計は、両側の運動野のみの脳波を計測できるように、両側に脳波を計測するための電極部を備えてもよい。この場合、計測部は、例えば、本体フレームの長尺方向の略中央部に配置されてもよい。本体フレームを複数備える場合、各本体フレームが備える電極部の数を特に限定されるものではなく、任意に設定されてよい。
【０１１１】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１１２】
２０、２０ａ、２０ｂ  本体フレーム
３０、３０ａ、３０ｂ  電極部
３１  取付部
３２  調整つまみ
３４  電極対（電極）
３４ａ  第一電極
３４ｂ  第二電極
３５  アンプ
４０  計測部
６０  装着部
６１  凸部
６２、６２ａ  位置測定部
６３  音出力部
６４  目盛り
１００、１００ａ  脳波計
【図１】
2019000405.tif 000003
【図２】
2019000405.tif 000004
【図３】
2019000405.tif 000005
【図４】
2019000405.tif 000006
【図５】
2019000405.tif 000007
【図６】
2019000405.tif 000008
【図７Ａ】
2019000405.tif 000009
【図７Ｂ】
2019000405.tif 000010
【図７Ｃ】
2019000405.tif 000011
【図７Ｄ】
2019000405.tif 000012
【図７Ｅ】
2019000405.tif 000013
【図８】
2019000405.tif 000014